(57)【要約】【課題】  様々な基材に対して自由な像を形成することができるとともに、形成した像に対して輪郭から食み出すことなく所望の色できれいに彩色してカラフルな像を形成することができる、応用性と興趣に富んだ転写玩具セットを提供する。【解決手段】  接着剤を含む液状媒体を内蔵する塗布具２と転写箔３とからなる。前記塗布具２を用いて基材４に筆記形成した接着像２１上に転写箔３を載置して剥離することで転写像５が貼着形成できる転写玩具セット１。【選択図】  図１
2014188294.tif 000002
【特許請求の範囲】
【請求項１】
接着剤を含む液状媒体を内蔵する塗布具と転写箔とからなり、前記塗布具を用いて基材に筆記形成した接着像上に転写箔を載置して剥離することで転写像が貼着形成できる転写玩具セット。
【請求項２】
透過性を有する被塗布基材を用いてなる請求項１記載の転写玩具セット。
【請求項３】
前記被塗布基材を介して視認可能である見本用印刷物を備えてなる請求項２記載の転写玩具セット。
【請求項４】
前記塗布具内の液状媒体が、塗布時の色相と適正乾燥時の色相とが異なる色相を呈する請求項１乃至３のいずれかに記載の転写玩具セット。
【請求項５】
前記液状媒体の適正乾燥時間をカウントするタイマーを備えてなる請求項１乃至４のいずれかに記載の転写玩具セット。
【発明の詳細な説明】
【技術分野】
【０００１】
本発明は転写玩具セットに関する。詳細には、接着液を内蔵する塗布具と転写箔とからなる転写玩具セットに関する。
【背景技術】
【０００２】
従来、印刷された下絵に対してクレヨン等で所望の色に彩色する玩具としては塗り絵が古くから知られている。塗り絵においては、下絵の輪郭線から色が食み出すことや、塗り方によって濃淡が生じることがあるため、幼児や児童がきれいに仕上げることが困難である。
そこで、粘着層を有する基板上に、切り込みを入れた剥離紙を設け、剥離箇所に所望の色の転写箔を貼着して着色することによってカラフルな像をきれいに形成できる転写玩具が開示されている（例えば、特許文献１，２参照）。
前記転写玩具では、基板表面に粘着層を形成し、更に剥離紙を積層したベース（基材）を用いて、前記剥離紙のみに像形態の切れ込みを複数入れることで、剥離紙の一部を切れ込みごとに部分剥離できる構成をとっている。そのため、所望箇所の剥離紙をめくって現れた粘着層に対して、所望の色の転写箔を貼着転写することで部分的に着色していくことができる玩具である。従って、各部分を輪郭から食み出すことなく所望の色で彩色でき、きれいに仕上げることが可能な彩色玩具を形成できる。
【先行技術文献】
【特許文献】
【０００３】
【特許文献１】実開昭６３−１２５８７９号公報
【特許文献２】実開平７−１５１００号公報
【発明の概要】
【発明が解決しようとする課題】
【０００４】
しかしながら、前記転写玩具や塗り絵においては、彩色する基材が常に特定されるとともに、彩色対象となる像が既に形成されたもののみで、児童等が様々な基材に対して自由な像を形成することができないため、応用性に乏しく、すぐに飽きられてしまうものであった。
本発明は、この種の彩色玩具において、様々な基材に対して自由な像を形成することができるとともに、形成した像に対して輪郭から食み出すことなく所望の色できれいに彩色してカラフルな像を形成することができる、応用性と興趣に富んだ転写玩具セットを提供するものである。
【課題を解決するための手段】
【０００５】
本発明は、接着剤を含む液状媒体を内蔵する塗布具と転写箔とからなり、前記塗布具を用いて基材に筆記形成した接着像上に転写箔を載置して剥離することで転写像が貼着形成できる転写玩具セットを要件とする。
更に、透過性を有する被塗布基材を用いてなること、前記被塗布基材を介して視認可能である見本用印刷物を備えてなることを要件とする。
更には、前記塗布具内の液状媒体が、塗布時の色相と適正乾燥時の色相とが異なる色相を呈することや、前記液状媒体の適正乾燥時間をカウントするタイマーを備えてなることを要件とする。
【発明の効果】
【０００６】
本発明により、塗布具を用いて、様々な基材に対して自由な像を詳細に筆記形成できるとともに、転写箔を用いて、筆記形成した像に対して輪郭から食み出すことなく所望の色できれいに彩色してカラフルな像を形成できる、応用性と興趣に富んだ転写玩具セットとなる。
特に、透過性を有する被塗布基材を用いた際には、汎用の像を手本とした写し絵によって接着像を筆記形成できるため、児童であっても印刷像と同等の、より完成度の高い像を転写用に筆記形成でき、玩具としての価値が向上する。
【図面の簡単な説明】
【０００７】
【図１】本発明の使用状態の一例（筆記状態）を示す斜視図である。
【図２】図１の続きの使用状態（転写状態）を示す斜視図である。
【図３】図２により得られた転写像を示す斜視図である。
【発明を実施するための形態】
【０００８】
本発明の転写玩具セットの実施形態について図面を用いて説明するが、本発明はこれらに限定されるものではない。
図１乃至３は、転写玩具セット１の使用状態を順に示す図である。
前記転写玩具セット１では、接着剤を含む液状媒体を内蔵する塗布具２と、転写箔３とを必須とし、更に、被塗布基材４（装飾された不透明なものや透過性を有するもの等）と、前記透過性を有する被塗布基材４を介して視認可能である見本用印刷物５とを備えたセット形態をとっている。
【０００９】
前記塗布具２は、接着剤を含む液状媒体（接着液２１）を内蔵しており、基材に対して接着液による細線描画が可能な塗布具形態の接着具である。尚、本発明における接着剤とは、基材及び転写箔に対して貼着力を発揮する材料であり、粘着剤とも言われる貼着成分を包括する。
前記接着剤としては、筆記具を含む塗布具形態の接着具外装に収容可能な液状組成物に配合されることで、基材への筆記（塗布）によって筆跡として形成でき、該筆跡に接着性能を付与できるものが使用でき、具体的には、デキストリン、澱粉、アラビアゴム、水溶性セルローズ誘導体、ポリビニルアルコール、アルギン酸ソーダ、ヒドロキシメチルセルロース、カルボキシメチルセルロース、ＰＶＡビニルエーテルマレイン酸共重合物等が使用できる。また、エマルジョン形態の粘着樹脂が使用でき、例えば、アクリル系樹脂エマルジョン、スチレン−アクリル系樹脂エマルジョン、ポリウレタン系樹脂エマルジョン、酢酸ビニル系樹脂エマルジョン、エチレン酢酸ビニル共重合体（ＥＶＡ）エマルジョン等を用いることができる。更に、特開平１１−４０８７８号公報に記載される粘着性樹脂粒状体を接着剤として用いることもできる。
前記各成分は、必要に応じて一種又は二種以上を混合して用いることができる。
【００１０】
前記接着剤を含む液状媒体としては、水性媒体、油性媒体が適宜選択して使用される。
水性媒体とする場合、必要に応じて水溶性有機溶剤や粘度調整剤、その他防腐剤、防錆剤、潤滑剤等の汎用の添加剤を配合することができる。
また、筆跡形成時に視覚的な確認ができるように、染料や顔料等の着色剤やｐＨ指示薬、酸化還元剤等の着色成分を配合することができる。尚、ｐＨ指示薬や酸化還元剤等、経時によって色相が変化するものを添加した際には、筆跡の乾燥状態を示すインジケーターとしての効果を呈するものとなる。
【００１１】
更に、適用する塗布具の形態に応じて、接着液の後端に逆流防止体を配設することができる。
前記逆流防止体は逆流を抑制するとともに、接着液の使用によって前方に追従するものであり、液体、固体のいずれも適用でき、併用することもできる。
【００１２】
前記接着剤を含む液状媒体（接着液）として具体的には、特開平１１−４０８７８号公報に記載される粘着性樹脂粒状体を接着剤とするもの、特公平６−２５３２８号公報や特開２０００−８５２９８号公報に記載される粘着性アクリル樹脂エマルジョンを接着剤とするもの、特開２００７−３０２７２６号公報に記載される水分散型ポリウレタン樹脂エマルジョンを接着剤とするもの、特開２００５−２１２２８２号公報に記載される粘着性樹脂エマルジョンを接着剤とするもの等が使用形態として適用できる。これらの接着液を用いた際には、筆記により得られる接着像２１が厚みを有するため、転写像５を形成したときに立体的な膨らみを有する像が得られる。そのため、玩具的用途には特に適している。
【００１３】
前記接着液を内蔵する塗布具２としては、細線状の接着像２１（筆跡）が形成可能な汎用のノズル付押圧容器、マーキングペン、ボールペン等を使用することが可能であるが、容器の押圧等を必要とせず、基材に接触させて筆記することでより細かい筆跡が形成できる筆記具形態の外装が特に好適である。
具体的には、特公平６−２５３２８号公報に記載されるマーキングペン形態や、特開２０００−８５２９８号公報、特開２００５−２１２２８２号公報等に記載されるボールペン形態の接着具が例示できる。尚、前記筆記具形態の接着具は、キャップ式や出没式等、どのような形態であってもよい。
【００１４】
前記塗布具により基材上に形成される接着像２１に載置される転写箔３としては、一般に市販されている光輝性転写箔、図柄を有する転写箔、虹彩転写箔、ホログラム転写箔等（特開昭５８−１１６１９１号公報、特開昭５８−１６０１８７号公報、特開昭６１−６９４９９号公報、特開昭６１−１９０３６９号公報等）の汎用品を用いることができる。
前記転写箔３は、主にフィルム基材上に離型層と転写層が順次積層された構成のシートであり、前記接着液からなる像に転写貼着される転写層としては、塗膜、金属蒸着膜、光干渉現象を呈する透明性多層フィルム、虹彩薄膜、エンボス樹脂層（ホログラム画像が形成され、必要によって金属蒸着層を積層する）からなるホログラム薄膜等が、単色又は柄状に形成されてなるものが適用される。尚、前記転写箔３は、転写層側が接着像２１と接触するように載置され、接着箇所を上方から押圧（圧接）することできれいに転写貼着できる。
前記離型層は、接着像に転写箔３を載置した際（転写時）に、フィルム基材から転写層を剥離し易くするために用いられ、アクリル樹脂、アミノアルキッド樹脂、ウレタン樹脂、エポキシ樹脂、酢酸ビニル樹脂等を用いたミクロン単位の厚みで形成される。
前記フィルム基材としては、ＰＥＴフィルム、ナイロンフィルム、ポリプロピレンフィルム、塩化ビニルフィルム等を使用したものが寸法安定性、コスト面から好適に用いられる。
【００１５】
前記塗布具２と転写箔３とからなる転写玩具セット１は、立体物表面や、紙、フィルム、カード、シール等のシート形態物を被塗布基材４とし、これに加飾することを目的として使用される。その際、前記被塗布基材４が透過性を有する材料（即ち、無色透明、着色透明、乳白色透明等の光透過性を有する材料）で形成されるものでは、該基材４を介して裏面が視認可能となるため、写真や印刷物等を見本とした写し絵での筆記（接着像形成）が可能となる。従って、手書きであっても完成度の高い接着像２１の形成を容易に行うことができるようになる。
尚、前記基材４（透過性を有するものと有しないもの）は本発明の転写玩具セット１に組み込むことができ、それぞれの形状や印刷形態等の構成を統一感のあるものとすることができる。
【００１６】
更に、前記被塗布基材４として透過性を有するものを用いる場合には、写真や印刷により形象物や文字（印刷像）が形成される見本用印刷物をセットとして備えることで、該見本用印刷物上に載置した被塗布基材４を介して、該被塗布基材４の大きさにマッチした印刷像を写し絵して接着像２１を筆記することが可能となるため、バランスの取れた装飾像を容易に形成でき玩具としての統一感がより高いものが得られる。
【００１７】
その他必要に応じて、接着像２１上に載置した転写箔３をこする（押圧する）ためのバランやローラー等の押圧具をセットとして組み込むことができる。これらの押圧具を用いることで圧接面に均等な力を加えることができるため、箔（転写層）の剥がれや欠け等を生じることなく、よりきれいに転写することが可能となる。また、転写箔３を貼着する際、接着像２１上に載置して露出する接着箇所に部分的に模様を形成するためのステンシルを用いることもできる。前記ステンシルには、波型等の細線模様を形成することで、筆跡程度の細い接着像２１であっても、転写箔３の部分的な貼着が可能となる。
更に、接着剤の種類に応じた液状媒体（接着液）や転写像２１の適正乾燥時間を知るため、砂時計等のタイマーをセットに組み込むこともできる。これにより、塗布された液状媒体が箔貼着に最適な状態であることを容易に知ることができるため、転写箔３をより強固且つ確実に貼着することが可能となる。また、貼着後の乾燥時間を確認することができるため、乾燥前に誤って触ることで転写箔３（転写層）に剥がれを生じる等の不具合の発生を防止できる。
その他、作製後（完成品）の転写基材を保持するためのホルダーや、各セット単体をまとめて収容するためのケース等を用いることで、玩具性をより向上することができる。
【００１８】
前述の転写玩具セット１の使用状態を図１乃至３を用いて順に説明する。ここでは、アクリル樹脂エマルジョンを接着剤として用いた水性媒体を内蔵するボールペン形態の塗布具２と、透明フィルムを支持体として金属光沢箔とホログラム箔を用いた複数色複数枚の転写箔３と、不透明着色カードと透明カードからなる複数枚のカード状基材４と、ウサギ等のキャラクターが印刷された見本用印刷物から構成される転写玩具セット１である。
【００１９】
図１では、コート紙製の着色カード状基材４に対して、ボールペン２を用いてウサギの絵を描画することで接着像２１を形成している。前記接着像２１は、厚みのある立体的な筆跡となっている。尚、ボールペン２に内蔵される接着液中には、筆記後に最適乾燥状態となると消色する薄青色の着色成分が添加されているため、筆記時には薄青色が視認され、転写貼着に最適な状態まで乾燥した際には無色となる。
【００２０】
前記接着像２１が薄青色から無色となった後に、該接着像２１に対して所望の転写箔３が載置され、像部分の転写箔３を上方より押圧（圧接）することで貼着される（図２）。その際、ローラー等を用いて転写箔３の表面を均等な力でこすることで、部分的な剥がれ（欠け）を生じることなく転写箔３の転写層が接着像２１上の全体にしっかりと貼着される。
尚、前述の例のように、接着像２１全体に同じ転写箔３を載置する必要はなく、所望の色相や柄の転写箔３を用いて部分的に貼着していくことで、よりカラフルな転写像５を形成することもできる。
【００２１】
接着像２１全体に載置押圧された転写箔３をめくることで、接着像２１上に載置された部分の箔（転写層）のみが貼着転写され、転写箔３にはフィルムの透明部分が抜き型状の像として視認される。これにより接着像２１全体が箔転写され、箔装飾された立体的なウサギの転写像５がカード基材４上に完成する（図３）。そのため、児童がボールペン形態の接着具でオリジナルの像を詳細に形成できるとともに、箔による装飾性の高い加飾を自由に施すことができる興趣に富んだ転写玩具セット１となる。
【００２２】
また、図１の別の形態では、セット内の別の基材である、フィルム製の透明カード状基材４を見本用印刷物上に載せて上方より視認可能とした後、ボールペン形態の塗布具２を用いてウサギの見本画を写し絵することで厚みのある接着像２１を形成している。
【００２３】
前記接着像２１が薄青色から無色となった後に、該接着像２１に対して複数の転写箔３を用いて、部分毎に所望の転写箔での載置押圧とフィルムの剥離を繰り返して接着像２１全面に貼着転写していくことで、カラフルなウサギの転写像５が完成する（図２、図３）。そのため、児童がボールペン形態の接着具で見本に沿った完成度の高い像を形成できるとともに、複数種の箔による装飾性がより高い加飾を自由に施すことができる、興趣に富んだ転写玩具セット１となる。
【符号の説明】
【００２４】
１  転写玩具セット
２  塗布具（ボールペン）
２１  接着像（接着液）
３  転写箔
４  基材
５  転写像
【図１】
2014188294.tif 000003
【図２】
2014188294.tif 000004
【図３】
2014188294.tif 000005